(57)【要約】  電池パック３０を電池収納部１０に収納させる際には、電池筒状部３５を電池収納部のコネクタ受部１３に位置合わせした上で、電池載置面１１に対して電池筒状部が斜め前下方に位置するように電池を傾けつつ、電池筒状部をコネクタ受部の周壁内に嵌挿させ、この嵌挿状態で電池パックを前方へ押し込みながら傾斜角度が小さくなるように倒して電池載置面上に載置し、電池載置面と平行な方向において電池コネクタ３６を接続端子１８に接続させるように構成され、電池筒状部の外周に装着したシールリング４０は、コネクタ受部の底壁１４に対応する部分が、天井壁１６に対応する部分よりも、所定量Ｅだけ電池挿入方向における後方に位置して、側面視で傾斜するように装着されている。
2015097941.tif 000002
【特許請求の範囲】
【請求項１】
外周にリング状の封止部材を装着した筒状部にコネクタを設けた電池と、該電池を収納する凹状の収納部を有する筐体とを備え、
前記収納部の所定の側壁部には、当該収納部の電池載置面に沿って開口し前記電池筒状部を受容するコネクタ受部が設けられており、
該コネクタ受部は、前記電池筒状部を嵌挿させる周壁であって、前記電池載置面と面一に繋がる底壁と、該底壁と対向配置された天井壁と、該天井壁と前記底壁の側部どうしを繋ぐ一対の側壁とで構成された周壁を備えると共に、該周壁の奥側に位置する奥壁であって、前記電池載置面と平行な方向において前記コネクタと接続可能な接続端子を有する奥壁を備え、
前記電池を前記筐体の収納部に収納させる際には、前記電池筒状部を前記収納部のコネクタ受部に位置合わせした上で、前記収納部の電池載置面に対して前記電池筒状部が斜め前下方に位置するように電池を傾けつつ、前記電池筒状部を前記コネクタ受部の周壁内に嵌挿させ、この嵌挿状態で電池を前方へ押し込みながら傾斜角度が小さくなるように倒して前記収納部の電池載置面上に載置し、前記電池載置面と平行な方向において前記コネクタを前記接続端子に接続させるように構成されており、
前記電池筒状部の外周に装着された前記リング状の封止部材は、前記コネクタ受部の底壁に対応する部分が、前記天井壁に対応する部分よりも、所定量だけ電池挿入方向における後方に位置して、側面視で傾斜するように装着されている、
ことを特徴とする電子機器。
【請求項２】
前記所定量は、前記封止部材の断面の最大寸法よりも大きい、ことを特徴とする請求項１に記載の電子機器。
【請求項３】
前記電池筒状部の外周の前記コネクタ受部の底壁に対応する部分は、少なくとも前記封止部材の装着部よりも電池挿入方向における前面部分が、電池収納操作時に当該電池を傾ける方向と逆向きに傾斜している、ことを特徴とする請求項１又は２に記載の電子機器。
【請求項４】
前記コネクタ受部の周壁における側壁部は、少なくとも前記封止部材に接する部分が、当該封止部材の傾斜に対応して傾斜している、ことを特徴とする請求項１から３の何れかに記載の電子機器。
【発明の詳細な説明】
【技術分野】
【０００１】
本開示は、電池を着脱可能に備える電子機器に関する。
【背景技術】
【０００２】
周知のように、例えばパーソナルコンピュータや情報端末機器などの電子機器、特に、所謂タブレット型やノート型のパーソナルコンピュータ及びタブレット型の携帯式情報端末機などの持ち運び可能な電子機器では、着脱可能な電池を機器筐体の電池収納部に収納した状態で用いられるのが一般的である。【０００３】
かかる電池収納部には、収納された電池のコネクタ（電池端子）と接続される接続端子が設けられており、この電池収納部の接続端子と電池コネクタとの接続部分を防水等のために封止する封止構造が設けられる場合がある。このような封止防水構造は、とりわけ、持ち運び可能な電子機器において、また特に、電池収納部分を覆うカバー等を用いること無く電池が外部に露出した状態で使用される電子機器において重要である。【０００４】
例えば、特許文献１には、断面が円形のゴムリングを電池側の筒状部分の外周に装着して、電池収納部の接続端子と電池コネクタとの接続部分を封止するようにした構成が開示されている。この場合、ゴムリングは、通常どおり筒状部分の軸線に対して側面視で直交するように装着されている。
【先行技術文献】
【特許文献】
【０００５】
【特許文献１】特開平５−２５９９６２号公報
【発明の概要】
【発明が解決しようとする課題】
【０００６】
ところで、例えば、筐体の裏面に設けた電池収納部に対して、筐体の側面から挿入／抜脱するのではなく、筐体の裏面側から電池を着脱する場合などには、リング状の封止部材が外周に装着された筒状部分を筐体側の接続端子を設けたコネクタ受部に位置決めした上で、電池収納部の電池載置面に対して電池側の筒状部分が斜め前下方に位置するように電池を傾け、電池を前方へ押し込みながら傾斜角度が小さくなるように倒して前記収納部の電池載置面上に載置し、前記電池載置面と平行な方向において前記コネクタを前記接続端子に接続させる必要がある。【０００７】
このような構造の場合、リング状の封止部材は、特に電池が大きな傾斜角度で傾斜している間は、筒状部分の上側と下側とで封止部材に対する押圧状態が大きく異なることになる。従って、リング状封止部材が通常どおり筒状部分の軸線に対して側面視で直交するように装着されている場合には、特に封止部材の前記筒状部分の下側に対応する部分に無理な力が掛り易いという難点があった。【０００８】
そこで、本開示は、筐体の裏面側から電池を着脱する場合においても、電池収納部の接続端子と電池コネクタとの接続部分を封止するリング状の封止部材に無理な力が加わることを抑制できるようにすることを、基本的な目的としてなされたものである。
【課題を解決するための手段】
【０００９】
このため、本開示における電子機器は、（ａ）外周にリング状の封止部材を装着した筒状部にコネクタを設けた電池と、該電池を収納する凹状の収納部を有する筐体とを備え、
（ｂ）前記収納部の所定の側壁部には、当該収納部の電池載置面に沿って開口し前記電池筒状部を受容するコネクタ受部が設けられており、（ｃ）該コネクタ受部は、前記電池筒状部を嵌挿させる周壁であって、前記電池載置面と面一に繋がる底壁と、該底壁と対向配置された天井壁と、該天井壁と前記底壁の側部どうしを繋ぐ一対の側壁とで構成された周壁を備えると共に、該周壁の奥側に位置する奥壁であって、前記電池載置面と平行な方向において前記コネクタと接続可能な接続端子を有する奥壁を備え、（ｄ）前記電池を前記筐体の収納部に収納させる際には、前記電池筒状部を前記収納部のコネクタ受部に位置合わせした上で、前記収納部の電池載置面に対して前記電池筒状部が斜め前下方に位置するように電池を傾けつつ、前記電池筒状部を前記コネクタ受部の周壁内に嵌挿させ、この嵌挿状態で電池を前方へ押し込みながら傾斜角度が小さくなるように倒して前記収納部の電池載置面上に載置し、前記電池載置面と平行な方向において前記コネクタを前記接続端子に接続させるように構成されており、（ｅ）前記電池筒状部の外周に装着された前記リング状の封止部材は、前記コネクタ受部の底壁に対応する部分が、前記天井壁に対応する部分よりも、所定量だけ電池挿入方向における後方に位置して、側面視で傾斜するように装着されている、ことを特徴としたものである。
【発明の効果】
【００１０】
本開示における電子機器によれば、電池筒状部の外周に装着されたリング状の封止部材は、筐体のコネクタ受部の底壁に対応する部分が、天井壁に対応する部分よりも、所定量だけ電池挿入方向における後方に位置して、側面視で傾斜するように装着されているので、電池筒状部が斜め前下方に位置するように電池を傾けた場合でも、特に封止部材の電池筒状部の下側に対応する部分に無理な力が加わることを抑制できる。この結果、例えば、封止部材の早期寿命の抑制に資することができる。
【図面の簡単な説明】
【００１１】
【図１】本開示の実施の形態に係るタブレット端末装置の表示面側を示す斜視図；
【図２】前記タブレット端末装置の背面側を示す斜視図；
【図３】前記タブレット端末装置に装着する電池の斜視図；
【図４】前記電池の側面図；
【図５】前記タブレット端末装置のコネクタ受部を示す斜視図；
【図６】電池装着状態における前記コネクタ受部と電池の筒状部を部分的に拡大して示す縦断面図；
【図７】前記電池の装着動作を説明するためのタブレット端末装置の背面側と電池の斜視図；
【図８】前記電池の装着動作を説明するためのタブレット端末装置と電池の部分縦断面図；
【図９】前記電池の装着動作の初期状態における前記コネクタ受部と電池の筒状部を部分的に拡大して示す縦断面図。
【発明を実施するための形態】
【００１２】
本開示における電子機器は、上述の構成を基本として、以下のような態様をとることができる。すなわち、前記所定量は、封止部材の断面の最大寸法よりも大きくなるように設定してもよい。
【００１３】
この構成によれば、前記リング状の封止部材の前記コネクタ受部の底壁に対応する部分が前記天井壁に対応する部分よりも、電池挿入方向における後方に位置している量は、封止部材の断面の最大寸法よりも大きいので、電池筒状部が斜め前下方に位置するように電池を傾けた場合でも、特に封止部材の電池筒状部の下側に対応する部分に無理な力が加わることをより確実に抑制することができる。
【００１４】
また、以上の場合において、前記電池筒状部の外周の前記コネクタ受部の底壁に対応する部分は、少なくとも前記封止部材の装着部よりも電池挿入方向における前面部分が、電池収納操作時に当該電池を傾ける方向と逆向きに傾斜している、ようにしてもよい。
【００１５】
この構成によれば、前記電池筒状部の外周の前記コネクタ受部の底壁に対応する部分は、少なくとも封止部材の装着部よりも電池挿入方向における前面部分が、電池着脱操作時に当該電池を傾ける方向と逆向きに傾斜しているので、電池筒状部が斜め前下方に位置するように電池を傾ける場合には、前記前面部分がコネクタ受部の底壁と干渉することが抑制され、電池着脱の初期操作を容易に行えるようになる。
【００１６】
更に、以上の場合において、前記コネクタ受部の周壁における側壁部は、少なくとも前記封止部材に接する部分が、当該封止部材の傾斜に対応して傾斜している、ようにしてもよい。
【００１７】
この構成によれば、前記コネクタ受部の周壁における側壁部を、少なくとも封止部材に接する部分が当該封止部材の傾斜に対応して傾斜するように構成することにより、前記側壁部を必要最小限のコンパクトな構成とすることができる。尚、少なくとも前記側壁部が、樹脂等の成形または鋳造或いは鍛造など、型を用いて造形されるものである場合には、造形時の型抜き勾配を利用して、側壁部を傾斜するように構成することもできる。
【００１８】
＜実施の形態＞
以下、適宜、図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
なお、発明者（ら）は、当業者が本開示を十分に理解するために添付図面および以下の説明を提供するのであって、これらによって特許請求の範囲に記載の主題を限定することを意図するものではない。
【００１９】
また、以下の説明では、特定の方向を意味する用語（例えば、「上」、「下」、「左」、「右」、およびそれらを含む他の用語、「時計回り方向」、「反時計回り方向」）を使用する場合があるが、それらの使用は図面を参照した開示の理解を容易にするためであって、それらの用語の意味によって本開示は限定的に解釈されるべきものではない。
【００２０】
以下に説明する本開示の実施の形態は、所謂タブレット型の持ち運び可能な情報端末装置（以下、適宜、「タブレット端末装置」、若しくは単に「装置」と略称する）に適用した場合を例にとったものである。
【００２１】
図１及び図２は、本実施の形態に係る電子機器としてのタブレット端末装置の表示面側及び背面側をそれぞれ示す斜視図である。
これらの図に示すように、本実施の形態に係るタブレット端末装置Ｗは、平面視で略四角形状に形成され所定の厚さ（高さ）を有する筐体１を備えている。この筐体１は、上下に対向配置された上面部２および下面部３と、これら両面部２，３の周縁部どうしを結合する側面部４と、を外面に有している。前記側面部４は、２組の対向配置された実質的に平坦な面を主要部として構成されている。
【００２２】
前記筐体１の主要部分は、機械的剛性等の確保のために、例えばマグネシウム（Ｍｇ）等の金属材料を用いて製作されているが、四角形状の各角部を含む所要の辺部については、筐体１の材料よりも弾性の高い、例えばエラストマで製作されたカバー体５で覆われている。このカバー体５は、例えば、ネジ部材などを用いてＭｇ製筐体１に対し固定されている。
【００２３】
前記筐体１の上面部２には、例えば液晶を用いた表示画面２ｃが配置されている。この表示画面２ｃは、例えば、タッチパネル式の入力画面としても用いられる。一方、図２に示すように、筐体１の下面部３（背面側）には、携帯電源としての電池パック３０が装着されている。図３及び図４から良く分かるように、前記電池パック３０は、所定の厚さを有し、平面視で略四角形状に形成されている。この電池パック３０は、筐体１の側面部４からではなく、筐体１の下面部３側（裏面側）から着脱されるものである。
【００２４】
筐体１の下面部３（背面側）には、装着される電池パック３０を収納する電池収納部１０が設けられている。該電池収納部１０は、後述する図８に示されるように、裏面側に開口する凹所として形成され、電池パック３０の装着面３１を受け合う電池載置面１１と、該電池載置面１１の周縁に形成されて電池パック３０の側面３２と対向する側壁部１２とを有している。電池パック３０は、その装着面３１が前記電池載置面１１上に載置され、側面３２が前記側壁部１２に取り囲まれた状態で、電池収納部１０内に収納される。電池収納部１０の前記側壁部１２の形状及び高さは、電池パック３０をがたつき無く収容し得る形状及び寸法に設定されている。なお、電池収納部１０の一辺側には、収納された電池パック３０を収納状態に拘束するためのロック部２６が設けられている。
【００２５】
図３及び図４に示されるように、電池パック３０の一端側には、正面視で長円状の筒状部３５（電池筒状部）が一体に形成され、この電池筒状部３５の正面部にコネクタ３６（電池コネクタ）が配設されている。また、この電池筒状部３５の外周部には、リング状の封止部材４０（シールリング）が装着されている。このシールリング４０は、例えばゴムや軟質樹脂等の弾性に富んだ材料で製作され、その断面形状は例えば円形に形成されている。
【００２６】
一方、筐体１の電池収納部１０のロック部２６と反対側の辺部の側壁部１２には、図５及び図６に示されるように、前記電池筒状部３５を受容するコネクタ受部１３が電池載置面１１に沿って開口するように設けられている。このコネクタ受部１３は、電池筒状部３５を嵌挿させる周壁であって、電池載置面１１と面一に繋がる底壁１４と、該底壁１４と対向配置された天井壁１６と、該天井壁１６と前記底壁１４の側部どうしを繋ぐ一対の側壁１５とで構成された周壁を備えると共に、該周壁の奥側に位置する奥壁１７であって、前記電池載置面１１と平行な方向において前記電池コネクタ３６と接続可能な接続端子１８を有する奥壁１７を備えている。
【００２７】
電池パック３０を筐体１の電池収納部１０内に収納させる際には、電池パック３０の前記電池筒状部３５を電池収納部１０の前記コネクタ受部１３に位置合わせした上で、図７，図８及び図９に示されるように、前記電池筒状部３５が斜め前下方に位置するように、電池パック３０を電池収納部１０の電池載置面１１に対して傾けつつ、電池筒状部３５をコネクタ受部１３の周壁内に嵌挿させる。そして、この嵌挿状態で電池パック３０を前方へ（図８における左方へ）押し込みながら傾斜角度が小さくなるように倒して電池収納部１０の電池載置面１１上に載置することで、電池載置面１１と平行な方向において電池コネクタ３６を接続端子１８に接続させるようになっている。なお、装着されている電池パック３０を電池収納部１０から取り出す際には、以上の説明と逆の順序で抜脱操作を行えばよい。
【００２８】
本実施形態では、図６及び図９から良く分かるように、電池パック３０を電池収納部１０に対して着脱する際、電池パック３０の傾斜が比較的大きい間などにおいて（図７〜９参照）、電池筒状部３５の外周に装着されたシールリング４０に無理な力が加わることを抑制できるようにすることを目的として、シールリング４０は、前記コネクタ受部１３の底壁１４に対応する部分が、天井壁１６に対応する部分よりも、所定量Ｅだけ電池挿入方向（図６〜９における左方）における後方に位置して、側面視で傾斜するように装着されている。
【００２９】
かかる構成を採用したことにより、電池パック３０を電池収納部１０に対して着脱する際などに、電池筒状部３５が斜め前下方に位置するように電池パック３０を傾けた場合でも、特にシールリング４０の電池筒状部３５の下側に対応する部分に無理な力が加わることを抑制できる。この結果、例えば、シールリング４０の早期寿命の抑制に資することができるのである。
【００３０】
本実施形態では、特に、前記所定量Ｅは、シールリング４０の断面の最大寸法Ｄ（本実施形態では、円形断面の直径寸法）よりも大きくなるように設定されている。
この場合、特に、前記所定量Ｅ（シールリング４０がコネクタ受部１３の底壁１４に対応する部分は天井壁１６に対応する部分よりも、電池挿入方向における後方に位置している量）はシールリング４０の断面の最大寸法よりも大きいので、電池筒状部３５が斜め前下方に位置するように電池パック３０を傾けた場合でも、特にシールリング４０の電池筒状部３５の下側に対応する部分に無理な力が加わることをより確実に抑制することができる。尚、シールリング４０の断面形状としては、上述の円形に限らず、例えば楕円形や四角形など、他の形状であってもよい。
【００３１】
また、本実施形態では、前記電池筒状部３５の外周の前記コネクタ受部１３の底壁１４に対応する部分（下側部分）は、少なくともシールリング４０の装着部よりも電池挿入方向における前面部分３５ｆ（図４，６，９参照）が、電池収納操作時に当該電池を傾ける方向（つまり前下がり方向）と逆向きに傾斜（前上がりに傾斜）するように形成されている。
【００３２】
従って、電池筒状部３５が斜め前下方に位置するように電池を傾ける場合には（図７〜９参照）、前記前面部分３５ｆがコネクタ受部１３の底壁１４と干渉することが抑制され、電池着脱の初期操作を容易に行えるようになる。
【００３３】
更に、本実施形態では、前記コネクタ受部１３の周壁における側壁部１５は、少なくとも前記シールリング４０に接する部分１５ｆ（図５参照）が、当該シールリング４０の傾斜に対応して、傾斜ライン１５ｋに沿って傾斜するように形成されている。
【００３４】
かかる構成を採用したことにより、コネクタ受部１３の周壁における側壁部１５を必要最小限のコンパクトな構成とすることができる。また、前述のように、本実施形態では、筐体１は例えばマグネシウム（Ｍｇ）等の金属材料を用いて製作されているが、この筐体１を鋳造法若しくは射出成形法などで型を用いて造形する際に、造形時の型抜き勾配を利用して、側壁部１５を傾斜するように構成することもできる。
【００３５】
以上のように、本開示における技術の例示として、実施の形態を説明した。そのために、添付図面および詳細な説明を提供した。
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００３６】
上述の実施の形態は、所謂タブレット端末装置に適用した場合を例にとって示したものであったが、本開示における電子機器は、かかる場合に限定されるものではなく、他の種々の電子機器として有効に適用し得るものである。
【００３７】
このように、上述の実施の形態は、本開示における技術を例示するためのものであるから、特許請求の範囲またはその均等の範囲において種々の変更、置き換え、付加、省略などを行うことができる。
【産業上の利用可能性】
【００３８】
本開示は、電池を着脱可能に備える電子機器に対して有効に利用することができる。
【符号の説明】
【００３９】
１  筐体
１０  電池収納部
１１  電池載置面
１２  側壁部
１３  コネクタ受部
１４  底壁
１５  側壁
１５ｆ  （側壁の）シールリングに接する部分
１５ｋ  傾斜ライン
１６  天井壁
１７  奥壁
１８  接続端子
３０  電池パック
３５  電池筒状部
３５ｆ  電池筒状部の下側前面部分
３６  電池コネクタ
４０  シールリング
Ｄ  シールリングの断面の最大寸法
Ｅ  所定量
Ｗ  タブレット端末装置
【図１】
2015097941.tif 000003
【図２】
2015097941.tif 000004
【図３】
2015097941.tif 000005
【図４】
2015097941.tif 000006
【図５】
2015097941.tif 000007
【図６】
2015097941.tif 000008
【図７】
2015097941.tif 000009
【図８】
2015097941.tif 000010
【図９】
2015097941.tif 000011
【手続補正書】
【提出日】平成27年12月3日(2015.12.3)
【手続補正１】
【補正対象書類名】明細書
【補正対象項目名】全文
【補正方法】変更
【補正の内容】
【発明の詳細な説明】
【技術分野】
【０００１】
本開示は、電池を着脱可能に備える電子機器に関する。
【背景技術】
【０００２】
周知のように、例えばパーソナルコンピュータや情報端末機器などの電子機器、特に、所謂タブレット型やノート型のパーソナルコンピュータ及びタブレット型の携帯式情報端末機などの持ち運び可能な電子機器では、着脱可能な電池を機器筐体の電池収納部に収納した状態で用いられるのが一般的である。
【０００３】
かかる電池収納部には、収納された電池のコネクタ（電池端子）と接続される接続端子が設けられており、この電池収納部の接続端子と電池コネクタとの接続部分を防水等のために封止する封止構造が設けられる場合がある。このような封止防水構造は、とりわけ、持ち運び可能な電子機器において、また特に、電池収納部分を覆うカバー等を用いること無く電池が外部に露出した状態で使用される電子機器において重要である。
【０００４】
例えば、特許文献１には、断面が円形のゴムリングを電池側の筒状部分の外周に装着して、電池収納部の接続端子と電池コネクタとの接続部分を封止するようにした構成が開示されている。この場合、ゴムリングは、通常どおり筒状部分の軸線に対して側面視で直交するように装着されている。
【先行技術文献】
【特許文献】
【０００５】
【特許文献１】特開平５−２５９９６２号公報
【発明の概要】
【発明が解決しようとする課題】
【０００６】
ところで、例えば、筐体の裏面に設けた電池収納部に対して、筐体の側面から挿入／抜脱するのではなく、筐体の裏面側から電池を着脱する場合などには、リング状の封止部材が外周に装着された筒状部分を筐体側の接続端子を設けたコネクタ受部に位置決めした上で、電池収納部の電池載置面に対して電池側の筒状部分が斜め前下方に位置するように電池を傾け、電池を前方へ押し込みながら傾斜角度が小さくなるように倒して前記収納部の電池載置面上に載置し、前記電池載置面と平行な方向において前記コネクタを前記接続端子に接続させる必要がある。
【０００７】
このような構造の場合、リング状の封止部材は、特に電池が大きな傾斜角度で傾斜している間は、筒状部分の上側と下側とで封止部材に対する押圧状態が大きく異なることになる。従って、リング状封止部材が通常どおり筒状部分の軸線に対して側面視で直交するように装着されている場合には、特に封止部材の前記筒状部分の下側に対応する部分に無理な力が掛り易いという難点があった。
【０００８】
そこで、本開示は、筐体の裏面側から電池を着脱する場合においても、電池収納部の接続端子と電池コネクタとの接続部分を封止するリング状の封止部材に無理な力が加わることを抑制できるようにすることを、基本的な目的としてなされたものである。
【課題を解決するための手段】
【０００９】
このため、本開示における電子機器は、（ａ）外周にリング状の封止部材を装着した筒状部にコネクタを設けた電池と、該電池を収納する凹状の収納部を有する筐体とを備え、
（ｂ）前記収納部の所定の側壁部には、当該収納部の電池載置面に沿って開口し前記電池筒状部を受容するコネクタ受部が設けられており、（ｃ）該コネクタ受部は、前記電池筒状部を嵌挿させる周壁であって、前記電池載置面と面一に繋がる底壁と、該底壁と対向配置された天井壁と、該天井壁と前記底壁の側部どうしを繋ぐ一対の側壁とで構成された周壁を備えると共に、該周壁の奥側に位置する奥壁であって、前記電池載置面と平行な方向において前記コネクタと接続可能な接続端子を有する奥壁を備え、（ｄ）前記電池を前記筐体の収納部に収納させる際には、前記電池筒状部を前記収納部のコネクタ受部に位置合わせした上で、前記収納部の電池載置面に対して前記電池筒状部が斜め前下方に位置するように電池を傾けつつ、前記電池筒状部を前記コネクタ受部の周壁内に嵌挿させ、この嵌挿状態で電池を前方へ押し込みながら傾斜角度が小さくなるように倒して前記収納部の電池載置面上に載置し、前記電池載置面と平行な方向において前記コネクタを前記接続端子に接続させるように構成されており、（ｅ）前記電池筒状部の外周に装着された前記リング状の封止部材は、前記コネクタ受部の底壁に対応する部分が、前記天井壁に対応する部分よりも、所定量だけ電池挿入方向における後方に位置して、側面視で傾斜するように装着されている、ことを特徴としたものである。
【発明の効果】
【００１０】
本開示における電子機器によれば、電池筒状部の外周に装着されたリング状の封止部材は、筐体のコネクタ受部の底壁に対応する部分が、天井壁に対応する部分よりも、所定量だけ電池挿入方向における後方に位置して、側面視で傾斜するように装着されているので、電池筒状部が斜め前下方に位置するように電池を傾けた場合でも、特に封止部材の電池筒状部の下側に対応する部分に無理な力が加わることを抑制できる。この結果、例えば、封止部材の早期寿命の抑制に資することができる。
【図面の簡単な説明】
【００１１】
【図１】本開示の実施の形態に係るタブレット端末装置の表示面側を示す斜視図；
【図２】前記タブレット端末装置の背面側を示す斜視図；
【図３】前記タブレット端末装置に装着する電池の斜視図；
【図４】前記電池の側面図；
【図５】前記タブレット端末装置のコネクタ受部を示す斜視図；
【図６】電池装着状態における前記コネクタ受部と電池の筒状部を部分的に拡大して示す縦断面図；
【図７】前記電池の装着動作を説明するためのタブレット端末装置の背面側と電池の斜視図；
【図８】前記電池の装着動作を説明するためのタブレット端末装置と電池の部分縦断面図；
【図９】前記電池の装着動作の初期状態における前記コネクタ受部と電池の筒状部を部分的に拡大して示す縦断面図。
【発明を実施するための形態】
【００１２】
本開示における電子機器は、上述の構成を基本として、以下のような態様をとることができる。すなわち、前記所定量は、封止部材の断面の最大寸法よりも大きくなるように設定してもよい。
【００１３】
この構成によれば、前記リング状の封止部材の前記コネクタ受部の底壁に対応する部分が前記天井壁に対応する部分よりも、電池挿入方向における後方に位置している量は、封止部材の断面の最大寸法よりも大きいので、電池筒状部が斜め前下方に位置するように電池を傾けた場合でも、特に封止部材の電池筒状部の下側に対応する部分に無理な力が加わることをより確実に抑制することができる。
【００１４】
また、以上の場合において、前記電池筒状部の外周の前記コネクタ受部の底壁に対応する部分は、少なくとも前記封止部材の装着部よりも電池挿入方向における前面部分が、電池収納操作時に当該電池を傾ける方向と逆向きに傾斜している、ようにしてもよい。
【００１５】
この構成によれば、前記電池筒状部の外周の前記コネクタ受部の底壁に対応する部分は、少なくとも封止部材の装着部よりも電池挿入方向における前面部分が、電池着脱操作時に当該電池を傾ける方向と逆向きに傾斜しているので、電池筒状部が斜め前下方に位置するように電池を傾ける場合には、前記前面部分がコネクタ受部の底壁と干渉することが抑制され、電池着脱の初期操作を容易に行えるようになる。
【００１６】
更に、以上の場合において、前記コネクタ受部の周壁における側壁部は、少なくとも前記封止部材に接する部分が、当該封止部材の傾斜に対応して傾斜している、ようにしてもよい。
【００１７】
この構成によれば、前記コネクタ受部の周壁における側壁部を、少なくとも封止部材に接する部分が当該封止部材の傾斜に対応して傾斜するように構成することにより、前記側壁部を必要最小限のコンパクトな構成とすることができる。尚、少なくとも前記側壁部が、樹脂等の成形または鋳造或いは鍛造など、型を用いて造形されるものである場合には、造形時の型抜き勾配を利用して、側壁部を傾斜するように構成することもできる。
【００１８】
＜実施の形態＞
以下、適宜、図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
なお、発明者（ら）は、当業者が本開示を十分に理解するために添付図面および以下の説明を提供するのであって、これらによって特許請求の範囲に記載の主題を限定することを意図するものではない。
【００１９】
また、以下の説明では、特定の方向を意味する用語（例えば、「上」、「下」、「左」、「右」、およびそれらを含む他の用語、「時計回り方向」、「反時計回り方向」）を使用する場合があるが、それらの使用は図面を参照した開示の理解を容易にするためであって、それらの用語の意味によって本開示は限定的に解釈されるべきものではない。
【００２０】
以下に説明する本開示の実施の形態は、所謂タブレット型の持ち運び可能な情報端末装置（以下、適宜、「タブレット端末装置」、若しくは単に「装置」と略称する）に適用した場合を例にとったものである。
【００２１】
図１及び図２は、本実施の形態に係る電子機器としてのタブレット端末装置の表示面側及び背面側をそれぞれ示す斜視図である。
これらの図に示すように、本実施の形態に係るタブレット端末装置Ｗは、平面視で略四角形状に形成され所定の厚さ（高さ）を有する筐体１を備えている。この筐体１は、上下に対向配置された上面部２および下面部３と、これら両面部２，３の周縁部どうしを結合する側面部４と、を外面に有している。前記側面部４は、２組の対向配置された実質的に平坦な面を主要部として構成されている。
【００２２】
前記筐体１の主要部分は、機械的剛性等の確保のために、例えばマグネシウム（Ｍｇ）等の金属材料を用いて製作されているが、四角形状の各角部を含む所要の辺部については、筐体１の材料よりも弾性の高い、例えばエラストマで製作されたカバー体５で覆われている。このカバー体５は、例えば、ネジ部材などを用いてＭｇ製筐体１に対し固定されている。
【００２３】
前記筐体１の上面部２には、例えば液晶を用いた表示画面２ｃが配置されている。この表示画面２ｃは、例えば、タッチパネル式の入力画面としても用いられる。一方、図２に示すように、筐体１の下面部３（背面側）には、携帯電源としての電池パック３０が装着されている。図３及び図４から良く分かるように、前記電池パック３０は、所定の厚さを有し、平面視で略四角形状に形成されている。この電池パック３０は、筐体１の側面部４からではなく、筐体１の下面部３側（裏面側）から着脱されるものである。
【００２４】
筐体１の下面部３（背面側）には、装着される電池パック３０を収納する電池収納部１０が設けられている。該電池収納部１０は、後述する図８に示されるように、裏面側に開口する凹所として形成され、電池パック３０の装着面３１を受け合う電池載置面１１と、該電池載置面１１の周縁に形成されて電池パック３０の側面３２と対向する側壁部１２とを有している。電池パック３０は、その装着面３１が前記電池載置面１１上に載置され、側面３２が前記側壁部１２に取り囲まれた状態で、電池収納部１０内に収納される。電池収納部１０の前記側壁部１２の形状及び高さは、電池パック３０をがたつき無く収容し得る形状及び寸法に設定されている。なお、電池収納部１０の一辺側には、収納された電池パック３０を収納状態に拘束するためのロック部２６が設けられている。
【００２５】
図３及び図４に示されるように、電池パック３０の一端側には、正面視で長円状の筒状部３５（電池筒状部）が一体に形成され、この電池筒状部３５の正面部にコネクタ３６（電池コネクタ）が配設されている。また、この電池筒状部３５の外周部には、リング状の封止部材４０（シールリング）が装着されている。このシールリング４０は、例えばゴムや軟質樹脂等の弾性に富んだ材料で製作され、その断面形状は例えば円形に形成されている。
【００２６】
一方、筐体１の電池収納部１０のロック部２６と反対側の辺部の側壁部１２には、図５及び図６に示されるように、前記電池筒状部３５を受容するコネクタ受部１３が電池載置面１１に沿って開口するように設けられている。このコネクタ受部１３は、電池筒状部３５を嵌挿させる周壁であって、電池載置面１１と面一に繋がる底壁１４と、該底壁１４と対向配置された天井壁１６と、該天井壁１６と前記底壁１４の側部どうしを繋ぐ一対の側壁１５とで構成された周壁を備えると共に、該周壁の奥側に位置する奥壁１７であって、前記電池載置面１１と平行な方向において前記電池コネクタ３６と接続可能な接続端子１８を有する奥壁１７を備えている。
【００２７】
電池パック３０を筐体１の電池収納部１０内に収納させる際には、電池パック３０の前記電池筒状部３５を電池収納部１０の前記コネクタ受部１３に位置合わせした上で、図７，図８及び図９に示されるように、前記電池筒状部３５が斜め前下方に位置するように、電池パック３０を電池収納部１０の電池載置面１１に対して傾けつつ、電池筒状部３５をコネクタ受部１３の周壁内に嵌挿させる。そして、この嵌挿状態で電池パック３０を前方へ（図８における左方へ）押し込みながら傾斜角度が小さくなるように倒して電池収納部１０の電池載置面１１上に載置することで、電池載置面１１と平行な方向において電池コネクタ３６を接続端子１８に接続させるようになっている。なお、装着されている電池パック３０を電池収納部１０から取り出す際には、以上の説明と逆の順序で抜脱操作を行えばよい。
【００２８】
本実施形態では、図６及び図９から良く分かるように、電池パック３０を電池収納部１０に対して着脱する際、電池パック３０の傾斜が比較的大きい間などにおいて（図７〜９参照）、電池筒状部３５の外周に装着されたシールリング４０に無理な力が加わることを抑制できるようにすることを目的として、シールリング４０は、前記コネクタ受部１３の底壁１４に対応する部分が、天井壁１６に対応する部分よりも、所定量Ｅだけ電池挿入方向（図６〜９における左方）における後方に位置して、側面視で傾斜するように装着されている。
【００２９】
かかる構成を採用したことにより、電池パック３０を電池収納部１０に対して着脱する際などに、電池筒状部３５が斜め前下方に位置するように電池パック３０を傾けた場合でも、特にシールリング４０の電池筒状部３５の下側に対応する部分に無理な力が加わることを抑制できる。この結果、例えば、シールリング４０の早期寿命の抑制に資することができるのである。
【００３０】
本実施形態では、特に、前記所定量Ｅは、シールリング４０の断面の最大寸法Ｄ（本実施形態では、円形断面の直径寸法）よりも大きくなるように設定されている。
この場合、特に、前記所定量Ｅ（シールリング４０がコネクタ受部１３の底壁１４に対応する部分は天井壁１６に対応する部分よりも、電池挿入方向における後方に位置している量）はシールリング４０の断面の最大寸法よりも大きいので、電池筒状部３５が斜め前下方に位置するように電池パック３０を傾けた場合でも、特にシールリング４０の電池筒状部３５の下側に対応する部分に無理な力が加わることをより確実に抑制することができる。尚、シールリング４０の断面形状としては、上述の円形に限らず、例えば楕円形や四角形など、他の形状であってもよい。
【００３１】
また、本実施形態では、前記電池筒状部３５の外周の前記コネクタ受部１３の底壁１４に対応する部分（下側部分）は、少なくともシールリング４０の装着部よりも電池挿入方向における前面部分３５ｆ（図４，６，９参照）が、電池収納操作時に当該電池を傾ける方向（つまり前下がり方向）と逆向きに傾斜（前上がりに傾斜）するように形成されている。
【００３２】
従って、電池筒状部３５が斜め前下方に位置するように電池を傾ける場合には（図７〜９参照）、前記前面部分３５ｆがコネクタ受部１３の底壁１４と干渉することが抑制され、電池着脱の初期操作を容易に行えるようになる。
【００３３】
更に、本実施形態では、前記コネクタ受部１３の周壁における側壁部１５は、少なくとも前記シールリング４０に接する部分１５ｆ（図５参照）が、当該シールリング４０の傾斜に対応して、傾斜ライン１５ｋに沿って傾斜するように形成されている。
【００３４】
かかる構成を採用したことにより、コネクタ受部１３の周壁における側壁部１５を必要最小限のコンパクトな構成とすることができる。また、前述のように、本実施形態では、筐体１は例えばマグネシウム（Ｍｇ）等の金属材料を用いて製作されているが、この筐体１を鋳造法若しくは射出成形法などで型を用いて造形する際に、造形時の型抜き勾配を利用して、側壁部１５を傾斜するように構成することもできる。
【００３５】
以上のように、本開示における技術の例示として、実施の形態を説明した。そのために、添付図面および詳細な説明を提供した。
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００３６】
上述の実施の形態は、所謂タブレット端末装置に適用した場合を例にとって示したものであったが、本開示における電子機器は、かかる場合に限定されるものではなく、他の種々の電子機器として有効に適用し得るものである。
【００３７】
このように、上述の実施の形態は、本開示における技術を例示するためのものであるから、特許請求の範囲またはその均等の範囲において種々の変更、置き換え、付加、省略などを行うことができる。
【産業上の利用可能性】
【００３８】
本開示は、電池を着脱可能に備える電子機器に対して有効に利用することができる。
【符号の説明】
【００３９】
１  筐体
１０  電池収納部
１１  電池載置面
１２  側壁部
１３  コネクタ受部
１４  底壁
１５  側壁
１５ｆ  （側壁の）シールリングに接する部分
１５ｋ  傾斜ライン
１６  天井壁
１７  奥壁
１８  接続端子
３０  電池パック
３５  電池筒状部
３５ｆ  電池筒状部の下側前面部分
３６  電池コネクタ
４０  シールリング
Ｄ  シールリングの断面の最大寸法
Ｅ  所定量
Ｗ  タブレット端末装置
【手続補正２】
【補正対象書類名】特許請求の範囲
【補正対象項目名】全文
【補正方法】変更
【補正の内容】
【特許請求の範囲】
【請求項１】
外周にリング状の封止部材を装着した筒状部にコネクタを設けた電池と、該電池を収納する凹状の収納部を有する筐体とを備え、
前記収納部の所定の側壁部には、当該収納部の電池載置面に沿って開口し前記電池筒状部を受容するコネクタ受部が設けられており、
該コネクタ受部は、前記電池筒状部を嵌挿させる周壁であって、前記電池載置面と面一に繋がる底壁と、該底壁と対向配置された天井壁と、該天井壁と前記底壁の側部どうしを繋ぐ一対の側壁とで構成された周壁を備えると共に、該周壁の奥側に位置する奥壁であって、前記電池載置面と平行な方向において前記コネクタと接続可能な接続端子を有する奥壁を備え、
前記電池を前記筐体の収納部に収納させる際には、前記電池筒状部を前記収納部のコネクタ受部に位置合わせした上で、前記収納部の電池載置面に対して前記電池筒状部が斜め前下方に位置するように電池を傾けつつ、前記電池筒状部を前記コネクタ受部の周壁内に嵌挿させ、この嵌挿状態で電池を前方へ押し込みながら傾斜角度が小さくなるように倒して前記収納部の電池載置面上に載置し、前記電池載置面と平行な方向において前記コネクタを前記接続端子に接続させるように構成されており、
前記電池筒状部の外周に装着された前記リング状の封止部材は、前記コネクタ受部の底壁に対応する部分が、前記天井壁に対応する部分よりも、所定量だけ電池挿入方向における後方に位置して、側面視で傾斜するように装着されている、
ことを特徴とする電子機器。
【請求項２】
前記所定量は、前記封止部材の断面の最大寸法よりも大きい、ことを特徴とする請求項１に記載の電子機器。
【請求項３】
前記電池筒状部の外周の前記コネクタ受部の底壁に対応する部分は、少なくとも前記封止部材の装着部よりも電池挿入方向における前面部分が、電池収納操作時に当該電池を傾ける方向と逆向きに傾斜している、ことを特徴とする請求項１又は２に記載の電子機器。
【請求項４】
前記コネクタ受部の周壁における側壁部は、少なくとも前記封止部材に接する部分が、当該封止部材の傾斜に対応して傾斜している、ことを特徴とする請求項１から３の何れかに記載の電子機器。
【手続補正３】
【補正対象書類名】図面
【補正対象項目名】全図
【補正方法】変更
【補正の内容】
【図１】
2015097941.tif 000012
【図２】
2015097941.tif 000013
【図３】
2015097941.tif 000014
【図４】
2015097941.tif 000015
【図５】
2015097941.tif 000016
【図６】
2015097941.tif 000017
【図７】
2015097941.tif 000018
【図８】
2015097941.tif 000019
【図９】
2015097941.tif 000020
【国際調査報告】
2015097941.tif 000021
2015097941.tif 000022
2015097941.tif 000023
2015097941.tif 000024